(57)【要約】【課題】ＲＦＩＤタグ１１を移送しつつ、無線データ通信の処理効率を上げることができ、読書き処理のエラー率を低下させることができるＲＦＩＤタグの読書き方法および読書き装置を提供する。【解決手段】ＲＦＩＤタグ１１の移送路１８に設けた複数本の装置アンテナに沿ってＲＦＩＤタグ１１との間で無線データ通信を行うことに着目し、ＲＦＩＤアンテナ１５に対向する装置アンテナの移送路１８の方向に沿った長さ、および移送路１８におけるＲＦＩＤタグ１１の移送速度から読書き処理時間を演算し、移送路１８に上流側から下流側に向かって装置アンテナとして順次設けた第１の装置アンテナ１９、第２の装置アンテナ２１あるいは第３の装置アンテナ２３と、ＲＦＩＤタグ１１との間で、移送路１８にＲＦＩＤタグ１１を移送しつつ、読書き処理時間内において、無線データ通信を順次実行する。【選択図】図１
2015092310.tif 000002
【特許請求の範囲】
【請求項１】
ＩＣチップおよびＲＦＩＤアンテナを有し、無線データ通信が可能なＲＦＩＤタグの読書き方法であって、
前記ＲＦＩＤタグを上流側から下流側に向かってその移送路に沿って移送可能としてあり、
前記ＲＦＩＤアンテナに対向する装置アンテナのこの移送路の方向に沿った長さ、およびこの移送路における前記ＲＦＩＤタグの移送速度から読書き処理時間を演算し、
前記移送路に上流側から下流側に向かって前記装置アンテナとして順次設けた第１の装置アンテナ、第２の装置アンテナあるいは第３の装置アンテナと、前記ＲＦＩＤタグとの間で、前記移送路に前記ＲＦＩＤタグを移送しつつ、前記読書き処理時間内において、前記無線データ通信を順次実行することを特徴とするＲＦＩＤタグの読書き方法。
【請求項２】
前記第１の装置アンテナによる前記ＲＦＩＤタグとの間の前記無線データ通信が適正に行われず、かつ、前記無線データ通信の開始から前記読書き処理時間の半分が経過していないときには、前記第１の装置アンテナと前記ＲＦＩＤタグとの間で前記ＲＦＩＤタグからの読取り処理を再度行うことを特徴とする請求項１記載のＲＦＩＤタグの読書き方法。
【請求項３】
前記第１の装置アンテナによる前記ＲＦＩＤタグとの間の前記無線データ通信が適正に行われず、かつ、前記無線データ通信の開始から前記読書き処理時間の半分が経過したときには、前記第１の装置アンテナと前記ＲＦＩＤタグとの間の読取り処理を読取り処理エラーとすることを特徴とする請求項１記載のＲＦＩＤタグの読書き方法。
【請求項４】
前記第１の装置アンテナによる前記ＲＦＩＤタグとの間の前記無線データ通信が前記読取り処理エラーとなったときには、前記ＲＦＩＤタグの必要処理枚数を一枚減算することを特徴とする請求項３記載のＲＦＩＤタグの読書き方法。
【請求項５】
前記第２の装置アンテナによる前記ＲＦＩＤタグとの間の前記無線データ通信が適正に行われず、かつ、前記無線データ通信の開始から前記読書き処理時間の半分が経過していないときには、前記第２の装置アンテナと前記ＲＦＩＤタグとの間で、前記ＲＦＩＤタグへのデータ書込み処理を再度行うことを特徴とする請求項１ないし４のいずれかに記載のＲＦＩＤタグの読書き方法。
【請求項６】
前記第２の装置アンテナによる前記ＲＦＩＤタグとの間の前記無線データ通信が適正に行われず、かつ、前記無線データ通信の開始から前記読書き処理時間の半分が経過したときには、前記第３の装置アンテナと前記ＲＦＩＤタグとの間で、前記ＲＦＩＤタグへのデータ書込み処理を行うことを特徴とする請求項１ないし４のいずれかに記載のＲＦＩＤタグの読書き方法。
【請求項７】
前記第３の装置アンテナと前記ＲＦＩＤタグとの間における前記ＲＦＩＤタグへのデータ書込み処理が書込み処理エラーとなったときには、前記ＲＦＩＤタグの前記必要処理枚数を一枚減算することを特徴とする請求項１ないし６のいずれかに記載のＲＦＩＤタグの読書き方法。
【請求項８】
ＩＣチップおよびＲＦＩＤアンテナを有し、無線データ通信が可能なＲＦＩＤタグの読書き装置であって、
前記ＲＦＩＤタグを上流側から下流側に向かってその移送路に沿って移送可能としているとともに、
この移送路に上流側から下流側に向かって順次設けた第１の装置アンテナ、第２の装置アンテナおよび第３の装置アンテナを有し、
これらの装置アンテナの前記移送路の方向に沿った長さ、および前記移送路における前記ＲＦＩＤタグの移送速度から読書き処理時間を演算し、
前記第１の装置アンテナ、前記第２の装置アンテナあるいは前記第３の装置アンテナと、前記ＲＦＩＤタグとの間で、前記移送路に前記ＲＦＩＤタグを移送しつつ、前記読書き処理時間内において、前記無線データ通信を順次実行可能としていることを特徴とするＲＦＩＤタグの読書き装置。
【請求項９】
前記第１の装置アンテナ、前記第２の装置アンテナおよび前記第３の装置アンテナは、前記移送路に複数列に配列した前記ＲＦＩＤタグとの間でそれぞれ前記無線データ通信が可能であることを特徴とする請求項８記載のＲＦＩＤタグの読書き装置。
【請求項１０】
前記第１の装置アンテナおよび第２の装置アンテナの周囲には、それぞれ電波遮蔽板を設けていることを特徴とする請求項８または９記載のＲＦＩＤタグの読書き装置。
【請求項１１】
前記第１の装置アンテナおよび第２の装置アンテナは、前記移送路の方向に沿ったそれぞれの装置アンテナ長さは、前記ＲＦＩＤタグの前記移送路の方向に沿ったそのタグ長さの少なくとも半分をこえる長さであることを特徴とする請求項８ないし１０のいずれかに記載のＲＦＩＤタグの読書き装置。
【発明の詳細な説明】
【技術分野】
【０００１】
本発明はＲＦＩＤタグの読書き方法および読書き装置にかかるもので、とくにＲＦＩＤ（Ｒａｄｉｏ  Ｆｒｅｑｕｅｎｃｙ  Ｉｄｅｎｔｉｆｉｃａｔｉｏｎ；無線自動認識）技術を応用したＲＦＩＤタグの読書き方法および読書き装置に関するものである。
【背景技術】
【０００２】
従来から、ＩＣチップおよびＲＦＩＤアンテナを有し、無線データ通信が可能なＲＦＩＤタグは、リーダーライター（ＲＦＩＤタグの読書き装置）における装置アンテナとの間で各種データの読取り処理および書込み処理を行うことにより、各種管理システムなどに利用されている。
一般的には、当該ＲＦＩＤタグは、これを複数枚備えた帯状の連続体として、あるいは複数枚を備えたシート状部材として移送路上を移送し、上記装置アンテナの部位で、一旦移送を停止した状態でデータの読書き処理（無線データ通信）を行う移送停止読書き方式、あるいは移送しながら読書き処理を行う移送読書き方式がある。
【０００３】
しかしながら、移送停止読書き方式は、ＲＦＩＤタグの移送および停止を間歇的に行わなければならず、処理効率の低下を否めないという問題がある。
さらに、読書き処理がエラーとなったＲＦＩＤタグ（エラータグ）は、次工程における処理（たとえば、印字処理や切断処理など）を行うことができず、エラー率を低下させることも要請されている。
【先行技術文献】
【特許文献】
【０００４】
【特許文献１】特開２００９−３７４５２号公報
【発明の概要】
【発明が解決しようとする課題】
【０００５】
本発明は以上のような諸問題にかんがみなされたもので、ＲＦＩＤタグのデータ読書きの処理効率を向上可能なＲＦＩＤタグの読書き方法および読書き装置を提供することを課題とする。
【０００６】
また本発明は、ＲＦＩＤタグを移送しつつ、無線データ通信の処理効率を上げることができるＲＦＩＤタグの読書き方法および読書き装置を提供することを課題とする。
【０００７】
また本発明は、読書き処理のエラー率を低下させることができるＲＦＩＤタグの読書き方法および読書き装置を提供することを課題とする。
【課題を解決するための手段】
【０００８】
すなわち本発明は、ＲＦＩＤタグの移送路に順次設けた複数本の装置アンテナに沿ってＲＦＩＤタグを移送しつつ、ＲＦＩＤタグとの間で無線データ通信を行うこと、およびＲＦＩＤタグの読書き処理時間を演算することに着目したもので、第一の発明は、ＩＣチップおよびＲＦＩＤアンテナを有し、無線データ通信が可能なＲＦＩＤタグの読書き方法であって、上記ＲＦＩＤタグを上流側から下流側に向かってその移送路に沿って移送可能としてあり、上記ＲＦＩＤアンテナに対向する装置アンテナのこの移送路の方向に沿った長さ、およびこの移送路における上記ＲＦＩＤタグの移送速度から読書き処理時間を演算し、上記移送路に上流側から下流側に向かって上記装置アンテナとして順次設けた第１の装置アンテナ、第２の装置アンテナあるいは第３の装置アンテナと、上記ＲＦＩＤタグとの間で、上記移送路に上記ＲＦＩＤタグを移送しつつ、上記読書き処理時間内において、上記無線データ通信を順次実行することを特徴とするＲＦＩＤタグの読書き方法である。
【０００９】
上記第１の装置アンテナによる上記ＲＦＩＤタグとの間の上記無線データ通信が適正に行われず、かつ、上記無線データ通信の開始から上記読書き処理時間の半分が経過していないときには、上記第１の装置アンテナと上記ＲＦＩＤタグとの間で上記ＲＦＩＤタグからの読取り処理を再度行うことができる。
【００１０】
上記第１の装置アンテナによる上記ＲＦＩＤタグとの間の上記無線データ通信が適正に行われず、かつ、上記無線データ通信の開始から上記読書き処理時間の半分が経過したときには、上記第１の装置アンテナと上記ＲＦＩＤタグとの間の読取り処理を読取り処理エラーとすることができる。
【００１１】
上記第１の装置アンテナによる上記ＲＦＩＤタグとの間の上記無線データ通信が上記読取り処理エラーとなったときには、上記ＲＦＩＤタグの必要処理枚数を一枚減算することができる。
【００１２】
上記第２の装置アンテナによる上記ＲＦＩＤタグとの間の上記無線データ通信が適正に行われず、かつ、上記無線データ通信の開始から上記読書き処理時間の半分が経過していないときには、上記第２の装置アンテナと上記ＲＦＩＤタグとの間で、上記ＲＦＩＤタグへのデータ書込み処理を再度行うことができる。
【００１３】
上記第２の装置アンテナによる上記ＲＦＩＤタグとの間の上記無線データ通信が適正に行われず、かつ、上記無線データ通信の開始から上記読書き処理時間の半分が経過したときには、上記第３の装置アンテナと上記ＲＦＩＤタグとの間で、上記ＲＦＩＤタグへのデータ書込み処理を行うことができる。
【００１４】
上記第３の装置アンテナと上記ＲＦＩＤタグとの間における上記ＲＦＩＤタグへのデータ書込み処理が書込み処理エラーとなったときには、上記ＲＦＩＤタグの上記必要処理枚数を一枚減算することができる。
【００１５】
第二の発明は、ＩＣチップおよびＲＦＩＤアンテナを有し、無線データ通信が可能なＲＦＩＤタグの読書き装置であって、上記ＲＦＩＤタグを上流側から下流側に向かってその移送路に沿って移送可能としているとともに、この移送路に上流側から下流側に向かって順次設けた第１の装置アンテナ、第２の装置アンテナおよび第３の装置アンテナを有し、これらの装置アンテナの上記移送路の方向に沿った長さ、および上記移送路における上記ＲＦＩＤタグの移送速度から読書き処理時間を演算し、上記第１の装置アンテナ、上記第２の装置アンテナあるいは上記第３の装置アンテナと、上記ＲＦＩＤタグとの間で、上記移送路に上記ＲＦＩＤタグを移送しつつ、上記読書き処理時間内において、上記無線データ通信を順次実行可能としていることを特徴とするＲＦＩＤタグの読書き装置である。
【００１６】
上記第１の装置アンテナ、上記第２の装置アンテナおよび上記第３の装置アンテナは、上記移送路に複数列に配列した上記ＲＦＩＤタグとの間でそれぞれ上記無線データ通信が可能であることができる。
【００１７】
上記第１の装置アンテナおよび第２の装置アンテナの周囲には、それぞれ電波遮蔽板を設けていることができる。
【００１８】
上記第１の装置アンテナおよび第２の装置アンテナは、上記移送路の方向に沿ったそれぞれの装置アンテナ長さは、上記ＲＦＩＤタグの上記移送路の方向に沿ったそのタグ長さの少なくとも半分をこえる長さであることができる。
【発明の効果】
【００１９】
本発明によるＲＦＩＤタグの読書き方法および読書き装置においては、ＲＦＩＤタグの移送路に上流側から下流側に向かって順次設けた第１の装置アンテナ、第２の装置アンテナあるいは第３の装置アンテナと、ＲＦＩＤタグとの間で、移送路にＲＦＩＤタグを移送しつつ、読書き処理時間内において、無線データ通信を順次実行するようにしたので、一枚のＲＦＩＤタグについて複数回のデータ読書き処理が実行可能となり、処理効率の向上とともに、エラー率の低下を図ることができる。
【００２０】
とくに第一の発明のＲＦＩＤタグの読書き方法によれば、移送路にＲＦＩＤタグを移送しつつ、読書き処理時間内において、移送路に上流側から下流側に向かって順次設けた第１の装置アンテナ、第２の装置アンテナあるいは第３の装置アンテナと、ＲＦＩＤタグとの間で無線データ通信を順次実行するので、移送路上のＲＦＩＤタグの移送速度を調整することにより、所望の処理効率を得ることができるとともに、エラー率の低下を図ることができる。
【００２１】
とくに第二の発明のＲＦＩＤタグの読書き装置によれば、ＲＦＩＤタグの移送路に上流側から下流側に向かって第１の装置アンテナ、第２の装置アンテナおよび第３の装置アンテナを順次設け、ＲＦＩＤタグの読書き処理時間内において、第１の装置アンテナ、第２の装置アンテナあるいは第３の装置アンテナと、ＲＦＩＤタグとの間で無線データ通信を順次実行可能としているので、処理効率を向上し、エラー率の低下を図った読書き装置とすることができる。
【図面の簡単な説明】
【００２２】
【図１】本発明の実施例によるＲＦＩＤタグの読書き装置２を備えたＲＦＩＤタグの読書き印字装置１の概略平面図である。
【図２】同、ＲＦＩＤタグの読書き印字装置１の概略側面図である。
【図３】同、図１のＩＩＩ−ＩＩＩ線拡大断面図である。
【図４】同、ＲＦＩＤタグの読書き装置２によるＲＦＩＤタグ１１の読書き方法のフローチャート図であって、主に第１の装置アンテナ１９による読取り処理のフローチャート図である。
【図５】同、ＲＦＩＤタグの読書き装置２によるＲＦＩＤタグ１１の読書き方法のフローチャート図であって、主に第２の装置アンテナ２１による書込み処理のフローチャート図である。
【図６】同、ＲＦＩＤタグの読書き装置２によるＲＦＩＤタグ１１の読書き方法のフローチャート図であって、主に第３の装置アンテナ２３による書込み処理のフローチャート図である。
【発明を実施するための形態】
【００２３】
本発明は、移送路にＲＦＩＤタグを移送しつつ、読書き処理時間内において、移送路に上流側から下流側に向かって第１の装置アンテナ、第２の装置アンテナあるいは第３の装置アンテナと、ＲＦＩＤタグとの間で無線データ通信を順次実行するようにしたので、処理効率の向上とともに、エラー率の低下を図ることができるＲＦＩＤタグの読書き方法および読書き装置を実現した。
【実施例】
【００２４】
つぎに本発明の実施例によるＲＦＩＤタグの読書き方法および読書き装置を図１ないし図６にもとづき説明する。
図１は、ＲＦＩＤタグの読書き印字装置１の概略平面図、図２は、ＲＦＩＤタグの読書き印字装置１の概略側面図であって、ＲＦＩＤタグの読書き印字装置１は、上記実施例によるＲＦＩＤタグの読書き装置２と、印字装置３と、制御部４（図２）と、を有する。
【００２５】
ＲＦＩＤタグの読書き装置２は、装置ハウジング５と、移送部６と、データ読書き部７と、を有する。
【００２６】
装置ハウジング５の供給口８から、たとえばシート状のＲＦＩＤタグ連続体９をＲＦＩＤタグの読書き印字装置１（ＲＦＩＤタグの読書き装置２）内に供給可能としている。
ＲＦＩＤタグ連続体９は、シート本体１０に複数枚（図１に示す例では、横１０列、縦３列の計３０枚）のＲＦＩＤタグ１１を仮着し、シート本体１０の左右両縁部に移送用孔１２をそれぞれ所定ピッチで形成しているとともに、その裏面側に位置検出用マーク（図示せず）をあらかじめ印刷している。
ＲＦＩＤタグ１１は、図１の一部にその平面図を拡大して示すように、タグフィルム１３上のほぼ中央位置に設けたＩＣチップ１４と、ＩＣチップ１４にたとえばＵＨＦの帯域（３００ＭＨｚ〜３ＧＨｚ）を使用するダイポール型に形成したＲＦＩＤアンテナ１５と、を有し、データ読書き部７との間で無線データ通信（データの読書き処理）を可能としている。
なお、ＲＦＩＤタグ連続体９としては、シート本体１０を帯状材から形成し、全体を帯状とした構成で供給することもできる。
【００２７】
移送部６は、タグエンコーダー１６およびタグセンサー１７を有し、上記ＲＦＩＤタグ１１を上流側（供給口８側）から下流側（印字装置３側）に向かってその移送路１８に沿って移送可能としている。
すなわち、タグエンコーダー１６は、ＲＦＩＤタグ連続体９の移送用孔１２に係合する歯車（図示せず）を有し、その駆動モーター（図示せず）の回転数をカウントして、ＲＦＩＤタグ連続体９の移送距離を測定するとともに、タグセンサー１７がＲＦＩＤタグ連続体９の裏面側の上記位置検出用マークを検出して、ＲＦＩＤタグ連続体９（ＲＦＩＤタグ１１）のＲＦＩＤタグの読書き装置２および印字装置３に対する相対位置を検出する。
【００２８】
データ読書き部７は、移送路１８に上流側から下流側に向かって装置アンテナとして順次設けた第１の装置アンテナ１９および第１のリーダーライター２０と、第２の装置アンテナ２１および第２のリーダーライター２２と、さらに、第３の装置アンテナ２３および第３のリーダーライター２４と、を有し、第１のリーダーライター２０、第２のリーダーライター２２および第３のリーダーライター２４を制御部４に接続してある。
第１の装置アンテナ１９および第２の装置アンテナ２１は、ＲＦＩＤタグ連続体９におけるＲＦＩＤタグ１１の列（横１０列）に合わせて、ＲＦＩＤタグ連続体９の幅方向にその１０本をそれぞれ配列し、移送路１８に複数列（横１０列）に配列したＲＦＩＤタグ１１との間でそれぞれ無線データ通信が可能である。
第３の装置アンテナ２３は、ＲＦＩＤタグ連続体９の幅方向にわたって横１０列のＲＦＩＤタグ１１のすべてに対向可能な単一のアンテナであって、それぞれのＲＦＩＤタグ１１との間で無線データ通信が可能である。
【００２９】
図３は、図１のＩＩＩ−ＩＩＩ線拡大断面図であって、第１の装置アンテナ１９および第２の装置アンテナ２１の周囲をめぐって、それぞれ電波遮蔽板２５を設けている。
電波遮蔽板２５は、たとえば鉄製プレートであって、多列状に配置されている第１の装置アンテナ１９および第２の装置アンテナ２１の通信領域をこの範囲内にそれぞれ限定可能としている。したがって、ＲＦＩＤタグ連続体９のように多数のＲＦＩＤタグ１１を配列した構成のものを移送しつつ、無線によるデータの読取り処理および書込み処理を所望の効率をもって実行可能である。
【００３０】
上述のような第１の装置アンテナ１９および第２の装置アンテナ２１は、移送路１８の方向に沿ったそれぞれの装置アンテナ長さＮを有し、この装置アンテナ長さＮは、ＲＦＩＤタグ１１の移送路１８の方向に沿ったそのタグ長さＬ（より正確には、タグアンテナ１５の移送路１８の方向に沿ったアンテナ長さ）の少なくとも半分（Ｌ／２）をこえる長さを有することが望ましい。
すなわち、Ｌ／２＜Ｎであれば、第１の装置アンテナ１９および第２の装置アンテナ２１は、ＲＦＩＤタグ１１がそれぞれの領域に移送されてきたときに、ＲＦＩＤタグ１１のタグアンテナ１５の少なくとも半分の領域に対向し、無線データ通信が可能となる。
【００３１】
ＲＦＩＤアンテナ１５と対向する装置アンテナ（第１の装置アンテナ１９、第２の装置アンテナ２１）の移送路１８の方向に沿ったそれぞれの装置アンテナ長さＮ、および移送路１８におけるＲＦＩＤタグ１１の移送速度Ｖから、データの読取り処理および書込み処理の通信可能時間すなわち、それぞれの読書き処理時間Ｔを演算することができる。
一般的には、近似的に、読書き処理時間Ｔ＝Ｎ／Ｖ、である。
なお、ＲＦＩＤタグ連続体９をデータ読書き部７に向かって所定ピッチずつ移動させながら、読書き処理時間Ｔを決定することもできる。
【００３２】
印字装置３は、データ読書き部７においてデータの読書き処理を完了したそれぞれのＲＦＩＤタグ１１の印字面に、それぞれのＲＦＩＤタグ１１に応じて所定の必要情報を任意の印字方式により印字可能である。もちろん、読取り書込み処理にエラーが発生したＲＦＩＤタグ１１（エラータグ）に「エラー」表示を施して、事後の使用を回避することができる。
【００３３】
制御部４は、ＲＦＩＤタグの読書き装置２および印字装置３を所定のタイミングで制御するとともに、ＲＦＩＤタグの読書き装置２および印字装置３において処理する必要処理枚数を管理し、データ読書き部７においてデータの読取り書込み処理を適正に完了したＲＦＩＤタグ１１、および読書き処理がエラーとなったＲＦＩＤタグ１１およびその数を個別に認識記憶する。
【００３４】
こうした構成のＲＦＩＤタグの読書き印字装置１における、とくに本発明のＲＦＩＤタグの読書き装置２によるＲＦＩＤタグ１１の読書き方法について、図４ないし図６にもとづき説明する。
図４ないし図６は、ＲＦＩＤタグの読書き装置２によるＲＦＩＤタグ１１の読書き方法のフローチャート図であって、図４は、主に第１の装置アンテナ１９による読取り処理のフローチャート図、図５は、主に第２の装置アンテナ２１による書込み処理のフローチャート図、図６は、主に第３の装置アンテナ２３による書込み処理のフローチャート図である。
【００３５】
図４に示すように、ステップＳ１において、第１の装置アンテナ１９および第２の装置アンテナ２１の読書き処理時間Ｔをそれぞれ演算する。
ステップＳ２において、ＲＦＩＤタグ連続体９を供給口８に供給し、移送部６によりＲＦＩＤタグの読書き印字装置１（ＲＦＩＤタグの読書き装置２）内における移送を開始する。
【００３６】
ステップＳ３において、第１の装置アンテナ１９によるＲＦＩＤタグ１１の読取り処理を行う。この読取り処理は、一般的には、ＲＦＩＤタグ１１にあらかじめ書き込まれているその識別番号を読み取ることにより、それぞれのＲＦＩＤタグ１１を個別に認識することである。
ステップＳ４において、この読取り処理がタイムアウトあるいはエラーか否かを判断する。
読取り処理の「タイムアウト」とは、第１の装置アンテナ１９およびＲＦＩＤアンテナ１５（ＲＦＩＤタグ１１）の組み合わせにおいて設定されている通常所定範囲時間内にＲＦＩＤタグ１１からの返信がない場合である。
読取り処理の「エラー」とは、第１の装置アンテナ１９からＲＦＩＤタグ１１への問い合わせに対してＲＦＩＤアンテナ１５からの返信内容が認識不可能であるか、識別番号としては明らかに誤回答であるような場合である。
なお、後述する書込み処理の「タイムアウト」とは、第１の装置アンテナ１９、第２の装置アンテナ２１あるいは第３の装置アンテナ２３によるＲＦＩＤ１１への書込み指示に対して、通常所定範囲時間内にＲＦＩＤタグ１１から書込みが正常に行われたとの返信がない場合である。
また、書込み処理の「エラー」とは、第１の装置アンテナ１９、第２の装置アンテナ２１あるいは第３の装置アンテナ２３によるＲＦＩＤ１１への書込み処理が正常に行われなかった場合である。
【００３７】
ステップＳ４において、タイムアウトでもエラーでもない場合には、ステップＳ５において、第１の装置アンテナ１９による読取り処理開始から読書き処理時間Ｔが半分以上経過したか否かを判断する。
経過していなければ、ステップＳ６において、第１の装置アンテナ１９によりＲＦＩＤタグ１１への次処理である書込み処理を行い、ステップＳ７においてタイムアウトあるいはエラーか否かを判断し、タイムアウトあるいはエラーでなければ、ステップＳ８においてＲＦＩＤタグ１１の読書き処理をともに完了（ＲＦＩＤタグ１１の処理が完了）したと判断する。
【００３８】
上記ステップＳ４において、タイムアウトあるいはエラーであれば、ステップＳ９において、読書き処理時間Ｔが半分以上経過したか否かを判断し、経過していれば、ステップＳ１０において読取り処理がエラーである、すなわち、当該ＲＦＩＤタグ１１はエラータグであると判断する。
さらに、ステップＳ１１において、ＲＦＩＤタグ連続体９におけるＲＦＩＤタグ１１の全必要処理枚数から一枚を減算する。すなわち、第１の装置アンテナ１９によるＲＦＩＤタグ１１との間の無線データ通信が最終的に読取り処理エラーと判断したときには、ＲＦＩＤタグ１１の必要処理枚数を一枚減算する。
【００３９】
上記ステップＳ９において、読書き処理時間Ｔの半分以上が経過していない場合には、ステップＳ１２において、第１の装置アンテナ１９による読取り処理を再度実行する。すなわち、第１の装置アンテナ１９によるＲＦＩＤタグ１１との間の無線データ通信が適正に行われず、かつ、無線データ通信の開始から読書き処理時間Ｔの半分が経過していないときには、第１の装置アンテナ１９とＲＦＩＤタグ１１との間でＲＦＩＤタグ１１からの読取り処理を再度行う。
【００４０】
つぎのステップＳ１３において、上記再度の読取り処理がタイムアウトあるいはエラーか否かを判断し、タイムアウトあるいはエラーの場合には、上記ステップＳ１０に移行する。すなわち、第１の装置アンテナ１９によるＲＦＩＤタグ１１との間の無線データ通信が適正に行われず、かつ、無線データ通信の開始から読書き処理時間Ｔの半分が経過したときには、第１の装置アンテナ１９とＲＦＩＤタグ１１との間の読取り処理を読取り処理エラーとする。
ステップＳ１３における上記再度の読取り処理がタイムアウトあるいはエラーではない場合には、ステップＳ１４において、このＲＦＩＤタグ１１からの読取り処理は正常と判断し、ＲＦＩＤタグ１１への必要データの書込み処理は、つぎのステップＳ１５（図５）において行う。
なお、前記ステップＳ５において読書き処理時間Ｔが半分以上経過した場合、および、前記ステップＳ７においてタイムアウトあるいはエラーの場合には、ステップＳ１４に移行する。
さらに、前記ステップＳ１１における必要処理枚数からの一枚減算処理ののちにも、ステップＳ１５（図５）に移行する。
【００４１】
つぎに、図５のステップＳ１５において、第２の装置アンテナ２１による書込み処理を開始し、ステップＳ１６においてタイムアウトあるいはエラーか否かを判断し、タイムアウトあるいはエラーではない場合、すなわち、書込み処理が正常である場合には、ステップＳ１７において、ＲＦＩＤタグ１１の読書き処理をともに完了（ＲＦＩＤタグ１１の処理が完了）したと判断する。
【００４２】
ステップＳ１６においてタイムアウトあるいはエラーの場合には、ステップＳ１８において、第２の装置アンテナ２１による書込み処理の開始から読書き処理時間Ｔの半分以上が経過したかを判断する。
経過していなければ、ステップＳ１９において、第２の装置アンテナ２１による書込み処理を再度実行する。すなわち、第２の装置アンテナ２１によるＲＦＩＤタグ１１との間の無線データ通信が適正に行われず、かつ、無線データ通信の開始から読書き処理時間Ｔの半分が経過していないときには、第２の装置アンテナ２１とＲＦＩＤタグ１１との間で、ＲＦＩＤタグ１１へのデータ書込み処理を再度行う。
【００４３】
つぎのステップＳ２０において、上記再度の書込み処理がタイムアウトあるいはエラーか否かを判断し、タイムアウトあるいはエラーでなければ、ステップＳ２１において読書き処理が正常でＲＦＩＤタグ１１の処理が完了したと判断し、タイムアウトあるいはエラーであれば、つぎのステップＳ２２（図６）に移行する。
なお、上記ステップＳ１８において、第２の装置アンテナ２１による読書き処理時間Ｔの半分以上が経過している場合にも上記ステップＳ２２に移行する。
【００４４】
つぎに、図６のステップＳ２２において、第３の装置アンテナ２３によるＲＦＩＤタグ１１へのデータの書込み処理を開始する。すなわち、第２の装置アンテナ２１によるＲＦＩＤタグ１１との間の無線データ通信が適正に行われず、かつ、無線データ通信の開始から読書き処理時間Ｔの半分が経過したときには、第３の装置アンテナ２３とＲＦＩＤタグ１１との間で、ＲＦＩＤタグ１１へのデータ書込み処理を行う。
ただし、この第３の装置アンテナ２３の部位で処理するＲＦＩＤタグ１１については、その識別番号がすでに正常に読み取られているとともに、既述のように、第３の装置アンテナ２３は、ＲＦＩＤタグ連続体９の幅方向にわたって複数列（図１に示した例では、横１０列）のＲＦＩＤタグ１１のすべてに対向可能であり、それぞれのＲＦＩＤタグ１１との間で逐次無線データ通信が可能である。
【００４５】
ステップＳ２３において、上記書込み処理がタイムアウトあるいはエラーであるか否かを判断し、タイムアウトあるいはエラーであれば、ステップＳ２４において書込み処理エラー、すなわち、ＲＦＩＤタグ１１がエラータグであると最終的に判断し、ステップＳ２５において、ＲＦＩＤタグ連続体９におけるＲＦＩＤタグ１１の全必要処理枚数から一枚を減算し、ステップＳ２６に移行する。すなわち、第３の装置アンテナ２３とＲＦＩＤタグ１１との間におけるＲＦＩＤタグ１１へのデータ書込み処理が書込み処理エラーとなったときには、ＲＦＩＤタグ１１の必要処理枚数を一枚減算する。
【００４６】
ステップＳ２６においては、ＲＦＩＤタグ１１の全必要処理枚数（書込み枚数）がすべて終了したか否かを判断し、終了していなければ、ステップＳ２２に戻り、ＲＦＩＤタグ１１の全必要処理枚数のうちの残りのＲＦＩＤタグ１１についての書込み処理を繰り返し行う。
ステップＳ２６において全必要処理枚数がすべて終了していれば、ステップＳ２７においてＲＦＩＤタグ１１の読書き処理が完了したと判断する。
【００４７】
かくして、ＲＦＩＤタグの読書き装置２における無線データ通信処理が完了し、ＲＦＩＤタグ連続体９が印字装置３内に移送供給されて、データの読取り処理および書込み処理を適正に完了したＲＦＩＤタグ１１の印字面に所定の情報を印字表示する。
【００４８】
上述のように本発明によれば、移送路１８に上流側から下流側に向かって装置アンテナとして順次設けた第１の装置アンテナ１９、第２の装置アンテナ２１あるいは第３の装置アンテナ２３と、ＲＦＩＤタグ１１との間で、移送路１８にＲＦＩＤタグ１１を移送しつつ、読書き処理時間Ｔ内において、無線データ通信を順次実行するようにしたので、エラータグを適切に排除してエラータグの流出を防止可能であるとともに、所定の処理速度ないしは処理効率を向上させた状態で、ＲＦＩＤタグ１１との間の無線データ通信を実行することができる。
【００４９】
なお本発明においては、ＲＦＩＤタグ１１の使用電波周波数帯域として、ＩＣチップ１４およびタグアンテナ１５の適正な選択により、前記ＵＨＦの帯域（３００ＭＨｚ〜３ＧＨｚ）以外にも、たとえばマイクロ波（１〜３０ＧＨｚ）、ＨＦ帯（３ＭＨｚ〜３０ＭＨｚ）あるいは１３５ｋＨｚ以下など、任意の周波数帯域を使用可能であって、ＲＦＩＤアンテナ１５を介してＩＣチップ１４に必要なデータの無線による読取り処理および書込み処理（データ通信）を行うことができる。
【符号の説明】
【００５０】
１  ＲＦＩＤタグの読書き印字装置（図１）
２  ＲＦＩＤタグの読書き装置（実施例、図１、図２）
３  印字装置
４  制御部
５  装置ハウジング
６  移送部
７  データ読書き部
８  供給口
９  ＲＦＩＤタグ連続体
１０  シート本体
１１  ＲＦＩＤタグ
１２  移送用孔
１３  タグフィルム
１４  ＩＣチップ
１５  ＲＦＩＤアンテナ
１６  タグエンコーダー
１７  タグセンサー
１８  移送路
１９  第１の装置アンテナ
２０  第１のリーダーライター
２１  第２の装置アンテナ
２２  第２のリーダーライター
２３  第３の装置アンテナ
２４  第３のリーダーライター
２５  電波遮蔽板（図３）
Ｎ    装置アンテナ長さ（Ｌ／２＜Ｎ、図３）
Ｌ    ＲＦＩＤタグ１１のタグ長さ
Ｖ    ＲＦＩＤタグ１１の移送速度
Ｔ    ＲＦＩＤタグ１１の読書き処理時間（Ｔ≒Ｎ／Ｖ）
【図１】
2015092310.tif 000003
【図２】
2015092310.tif 000004
【図３】
2015092310.tif 000005
【図４】
2015092310.tif 000006
【図５】
2015092310.tif 000007
【図６】
2015092310.tif 000008
【手続補正書】
【提出日】平成26年7月18日(2014.7.18)
【手続補正１】
【補正対象書類名】特許請求の範囲
【補正対象項目名】全文
【補正方法】変更
【補正の内容】
【特許請求の範囲】
【請求項１】
ＩＣチップおよびＲＦＩＤアンテナを有し、無線データ通信が可能なＲＦＩＤタグの読書き方法であって、
前記ＲＦＩＤタグを上流側から下流側に向かってその移送路に沿って移送可能としてあり、
前記ＲＦＩＤアンテナに対向する装置アンテナのこの移送路の方向に沿った長さ、およびこの移送路における前記ＲＦＩＤタグの移送速度から読書き処理時間を演算し、
前記移送路に上流側から下流側に向かって前記装置アンテナとして順次設けた第１の装置アンテナ、第２の装置アンテナあるいは第３の装置アンテナと、前記ＲＦＩＤタグとの間で、前記移送路に前記ＲＦＩＤタグを移送しつつ、前記読書き処理時間内において、前記無線データ通信を順次実行することを特徴とするＲＦＩＤタグの読書き方法。
【請求項２】
前記第１の装置アンテナによる前記ＲＦＩＤタグとの間の前記無線データ通信が適正に行われず、かつ、前記無線データ通信の開始から前記読書き処理時間の半分が経過していないときには、前記第１の装置アンテナと前記ＲＦＩＤタグとの間で前記ＲＦＩＤタグからの読取り処理を再度行うことを特徴とする請求項１記載のＲＦＩＤタグの読書き方法。
【請求項３】
前記第１の装置アンテナによる前記ＲＦＩＤタグとの間の前記無線データ通信が適正に行われず、かつ、前記無線データ通信の開始から前記読書き処理時間の半分が経過したときには、前記第１の装置アンテナと前記ＲＦＩＤタグとの間の読取り処理を読取り処理エラーとすることを特徴とする請求項１記載のＲＦＩＤタグの読書き方法。
【請求項４】
前記第１の装置アンテナによる前記ＲＦＩＤタグとの間の前記無線データ通信が前記読取り処理エラーとなったときには、前記ＲＦＩＤタグの必要処理枚数を一枚減算することを特徴とする請求項３記載のＲＦＩＤタグの読書き方法。
【請求項５】
前記第２の装置アンテナによる前記ＲＦＩＤタグとの間の前記無線データ通信が適正に行われず、かつ、前記無線データ通信の開始から前記読書き処理時間の半分が経過していないときには、前記第２の装置アンテナと前記ＲＦＩＤタグとの間で、前記ＲＦＩＤタグへのデータ書込み処理を再度行うことを特徴とする請求項１ないし４のいずれかに記載のＲＦＩＤタグの読書き方法。
【請求項６】
前記第２の装置アンテナによる前記ＲＦＩＤタグとの間の前記無線データ通信が適正に行われず、かつ、前記無線データ通信の開始から前記読書き処理時間の半分が経過したときには、前記第３の装置アンテナと前記ＲＦＩＤタグとの間で、前記ＲＦＩＤタグへのデータ書込み処理を行うことを特徴とする請求項１ないし４のいずれかに記載のＲＦＩＤタグの読書き方法。
【請求項７】
前記第３の装置アンテナと前記ＲＦＩＤタグとの間における前記ＲＦＩＤタグへのデータ書込み処理が書込み処理エラーとなったときには、前記ＲＦＩＤタグの前記必要処理枚数を一枚減算することを特徴とする請求項１ないし６のいずれかに記載のＲＦＩＤタグの読書き方法。
【請求項８】
ＩＣチップおよびＲＦＩＤアンテナを有し、無線データ通信が可能なＲＦＩＤタグの読書き装置であって、
前記ＲＦＩＤタグを上流側から下流側に向かってその移送路に沿って移送可能としているとともに、
この移送路に上流側から下流側に向かって順次設けた第１の装置アンテナ、第２の装置アンテナおよび第３の装置アンテナを有し、
これらの装置アンテナの前記移送路の方向に沿った長さ、および前記移送路における前記ＲＦＩＤタグの移送速度から読書き処理時間を演算し、
前記第１の装置アンテナ、前記第２の装置アンテナあるいは前記第３の装置アンテナと、前記ＲＦＩＤタグとの間で、前記移送路に前記ＲＦＩＤタグを移送しつつ、前記読書き処理時間内において、前記無線データ通信を順次実行可能としていることを特徴とするＲＦＩＤタグの読書き装置。
【請求項９】
前記第１の装置アンテナ、前記第２の装置アンテナおよび前記第３の装置アンテナは、前記移送路に複数列に配列した前記ＲＦＩＤタグとの間でそれぞれ前記無線データ通信が可能であることを特徴とする請求項８記載のＲＦＩＤタグの読書き装置。
【請求項１０】
前記第１の装置アンテナおよび第２の装置アンテナの周囲には、それぞれ電波遮蔽板を設けていることを特徴とする請求項８または９記載のＲＦＩＤタグの読書き装置。
【請求項１１】
前記第１の装置アンテナおよび第２の装置アンテナは、前記移送路の方向に沿ったそれぞれの装置アンテナ長さは、前記ＲＦＩＤタグの前記移送路の方向に沿ったそのタグ長さの少なくとも半分をこえる長さであることを特徴とする請求項８ないし１０のいずれかに記載のＲＦＩＤタグの読書き装置。
【請求項１２】
ＩＣチップおよびＲＦＩＤアンテナを有し、無線データ通信が可能なＲＦＩＤタグの読書き装置であって、
前記ＲＦＩＤタグを上流側から下流側に向かってその移送路に沿って移送可能としているとともに、
この移送路に上流側から下流側に向かって順次設けた第１の装置アンテナ、第２の装置アンテナおよび第３の装置アンテナを有し、
これらの装置アンテナの前記移送路の方向に沿った長さ、および前記移送路における前記ＲＦＩＤタグの移送速度から読書き処理時間を演算し、
前記第１の装置アンテナ、前記第２の装置アンテナあるいは前記第３の装置アンテナと、前記ＲＦＩＤタグとの間で、前記移送路に前記ＲＦＩＤタグを移送しつつ、前記読書き処理時間内において、前記無線データ通信を順次実行可能とし、さらに書込み処理エラーとなったエラーＲＦＩＤタグを適切に排除して前記エラーＲＦＩＤタグの流出を防止可能であるとともに、所定の処理速度ないしは処理効率を向上させた状態で、前記ＲＦＩＤタグとの間の無線データ通信を実行することを特徴とするＲＦＩＤタグの読書き装置。
【手続補正２】
【補正対象書類名】明細書
【補正対象項目名】００１８
【補正方法】変更
【補正の内容】
【００１８】
上記第１の装置アンテナおよび第２の装置アンテナは、上記移送路の方向に沿ったそれぞれの装置アンテナ長さは、上記ＲＦＩＤタグの上記移送路の方向に沿ったそのタグ長さの少なくとも半分をこえる長さであることができる。
ＩＣチップおよびＲＦＩＤアンテナを有し、無線データ通信が可能なＲＦＩＤタグの読書き装置であって、前記ＲＦＩＤタグを上流側から下流側に向かってその移送路に沿って移送可能としているとともに、この移送路に上流側から下流側に向かって順次設けた第１の装置アンテナ、第２の装置アンテナおよび第３の装置アンテナを有し、これらの装置アンテナの前記移送路の方向に沿った長さ、および前記移送路における前記ＲＦＩＤタグの移送速度から読書き処理時間を演算し、前記第１の装置アンテナ、前記第２の装置アンテナあるいは前記第３の装置アンテナと、前記ＲＦＩＤタグとの間で、前記移送路に前記ＲＦＩＤタグを移送しつつ、前記読書き処理時間内において、前記無線データ通信を順次実行可能とし、さらに書込み処理エラーとなったエラーＲＦＩＤタグを適切に排除して前記エラーＲＦＩＤタグの流出を防止可能であるとともに、所定の処理速度ないしは処理効率を向上させた状態で、前記ＲＦＩＤタグとの間の無線データ通信を実行することを特徴とするＲＦＩＤタグの読書き装置である。